(57)【要約】【課題】映像蓄積装置間の複数チャンネルの映像データ転送を効率的に行う。【解決手段】送信側装置１１は、複数チャンネルの映像データを蓄積し、要求に応じて１又は複数の指定チャンネルの映像データを出力する映像蓄積装置１１１と、映像蓄積装置１１１から出力される１又は複数のチャンネルの映像データのフレームを転送パケットサイズの範囲でパッキングし、そのパケット内容を示す転送パケット情報とともにパッキングされた各パケットを順次伝送路Ｌへ送出するパッキング装置１１２とを備える。受信側装置２１は、伝送路Ｌを通じて転送されるパケットを受け取り、同時に送られてくる転送パケット情報に基づいてパケット内の映像データをチャンネル毎に分解・マージして、チャンネル別映像データを再生するデパッキング装置２１１と、このデパッキング装置２１１で得られたチャンネル別映像データを同時に蓄積する映像蓄積装置２１２とを備える。【選択図】図１
2009225333.tif 000002
【特許請求の範囲】
【請求項１】
送信側装置が、複数チャンネルの映像データを蓄積し、要求に応じて１又は複数の指定チャンネルの映像データを出力する映像蓄積装置と、前記映像蓄積装置から出力される１又は複数のチャンネルの映像データのフレームを転送パケットサイズの範囲でパッキングして伝送路に送出するパッキング装置とを備え、
受信側装置が、前記伝送路を通じて転送されるパケットを受け取り、パケット内の映像データをチャンネル毎に分解・マージして、チャンネル別映像データを再生するデパッキング装置と、このデパッキング装置で得られたチャンネル別映像データを同時に蓄積する映像蓄積装置とを備えることを特徴とする映像データ転送システム。
【請求項２】
前記パッキング装置は、パッキング処理時に個々のパケットに収容されるチャンネルの分解フレーム内容を示す転送パケット情報を前記映像データがパッキングされた各パケットとともに順次伝送路へ送出し、デパッキング装置は同時に送られてくる転送パケット情報に基づいてパケット内の映像データをチャンネル毎に分解・マージして、チャンネル別映像データを再生することを特徴とする請求項１記載の映像データ転送システム。
【請求項３】
前記パッキング装置は、個々のパケットに収容するチャンネルの割合を任意に振り分ける処理を備えることを特徴とする請求項１記載の映像データ転送システム。
【請求項４】
送信側の映像蓄積装置から１又は複数の指定チャンネルの映像データが出力されるとき、前記映像蓄積装置から出力される１又は複数のチャンネルの映像データのフレームを転送パケットサイズの範囲でパッキングして伝送路に送出し、
受信側で、前記伝送路を通じて転送されるパケットを受け取り、パケット内の映像データをチャンネル毎に分解・マージして、チャンネル別映像データを再生し、この再生チャンネルの映像データを映像蓄積装置に同時に蓄積するようにしたことを特徴とする映像データ転送方法。
【請求項５】
送信側は、パッキング処理時に個々のパケットに収容されるチャンネルの分解フレーム内容を示す転送パケット情報を前記映像データがパッキングされた各パケットとともに順次伝送路へ送出し、
受信側は、同時に送られてくる転送パケット情報に基づいてパケット内の映像データをチャンネル毎に分解・マージして、チャンネル別映像データを再生することを特徴とする請求項４記載の映像データ転送方法。
【請求項６】
前記パッキング処理時に、個々のパケットに収容するチャンネルの割合を任意に振り分けることを特徴とする請求項４記載の映像データ転送方法。
【請求項７】
複数チャンネルの映像データを蓄積し、要求に応じて１又は複数の指定チャンネルの映像データを出力する映像蓄積部と、前記映像蓄積部から出力される１又は複数のチャンネルの映像データのフレームを転送パケットサイズの範囲でパッキングして伝送路に送出するパッキング処理部とを備える映像蓄積装置。
【請求項８】
伝送路を通じて転送されるパケットを受け取り、パケット内の映像データをチャンネル毎に分解・マージして、チャンネル別映像データを再生するデパッキング処理部と、このデパッキング処理部で得られたチャンネル別映像データを同時に蓄積する映像蓄積部とを備えることを特徴とする映像蓄積装置。
【発明の詳細な説明】
【技術分野】
【０００１】
本発明は、映像蓄積装置間の映像データ転送を行うための映像データ転送システム、映像データ転送方法及び映像蓄積装置に関する。
【背景技術】
【０００２】
従来の映像蓄積装置間の映像データ転送は、転送パケット毎に１チャンネル１フレーム分の映像データを転送するようにしている。また、同時転送可能チャンネル数は１チャンネルのみに制限されている。そのため、１フレームのデータサイズが小さいときに転送効率が低くなっている。このような転送効率を改善するため、複数フレームを転送サイズ以下にパッキングすることで、複数フレームを単一パケットで同時に転送する手法が提案されている（例えば特許文献１参照）。
【０００３】
しかしながら、上記の手法では、同時に転送可能なのは同一チャンネルの複数フレームの映像データのみであり、マルチチャンネル転送ができないという問題が依然として残っている。
【特許文献１】特開２００５−２２３４５２号公報
【発明の開示】
【発明が解決しようとする課題】
【０００４】
以上述べたように、映像蓄積装置間の映像データ転送では、マルチチャンネルの映像データ転送に対応しておらず、１チャンネルの映像データの転送が完了しない限り、或いは中断しなければ、他のチャンネルの映像データを転送することができず、非効率な伝送状況にあった。
【０００５】
本発明は、上記事情を考慮して、複数チャンネルの映像データを同時に転送することができ、これによって転送効率及び複数チャンネルの高速転送を可能とする映像データ転送システム、映像データ転送方法及び映像蓄積装置を提供することを目的とする。
【課題を解決するための手段】
【０００６】
上記問題を解決するために、本発明に係る映像データ転送システムは以下のように構成されることを特徴とする。
【０００７】
（１）送信側装置が、複数チャンネルの映像データを蓄積し、要求に応じて１又は複数の指定チャンネルの映像データを出力する映像蓄積装置と、前記映像蓄積装置から出力される１又は複数のチャンネルの映像データのフレームを転送パケットサイズの範囲でパッキングして伝送路に送出するパッキング装置とを備え、受信側装置が、前記伝送路を通じて転送されるパケットを受け取り、パケット内の映像データをチャンネル毎に分解・マージして、チャンネル別映像データを再生するデパッキング装置と、このデパッキング装置で得られたチャンネル別映像データを同時に蓄積する映像蓄積装置とを備えることを特徴とする。
【０００８】
（２）（１）の構成において、前記パッキング装置は、パッキング処理時に個々のパケットに収容されるチャンネルの分解フレーム内容を示す転送パケット情報を前記映像データがパッキングされた各パケットとともに順次伝送路へ送出し、デパッキング装置は同時に送られてくる転送パケット情報に基づいてパケット内の映像データをチャンネル毎に分解・マージして、チャンネル別映像データを再生することを特徴とする。
【０００９】
（３）（１）の構成において、前記パッキング装置は、個々のパケットに収容するチャンネルの割合を任意に振り分ける処理を備えることを特徴とする。
【００１０】
また、本発明に係る映像データ転送方法は、以下のように処理されることを特徴とする。
【００１１】
（４）送信側の映像蓄積装置から１又は複数の指定チャンネルの映像データが出力されるとき、前記映像蓄積装置から出力される１又は複数のチャンネルの映像データのフレームを転送パケットサイズの範囲でパッキングして伝送路に送出し、受信側で、前記伝送路を通じて転送されるパケットを受け取り、パケット内の映像データをチャンネル毎に分解・マージして、チャンネル別映像データを再生し、この再生チャンネルの映像データを映像蓄積装置に同時に蓄積するようにしたことを特徴とする。
【００１２】
（５）（４）の構成において、送信側は、パッキング処理時に個々のパケットに収容されるチャンネルの分解フレーム内容を示す転送パケット情報を前記映像データがパッキングされた各パケットとともに順次伝送路へ送出し、受信側は、同時に送られてくる転送パケット情報に基づいてパケット内の映像データをチャンネル毎に分解・マージして、チャンネル別映像データを再生することを特徴とする。
【００１３】
（６）（４）の構成において、前記パッキング処理時に、個々のパケットに収容するチャンネルの割合を任意に振り分けることを特徴とする。
【００１４】
また、本発明に係る映像蓄積装置は、以下のような特徴を有する。
【００１５】
（７）複数チャンネルの映像データを蓄積し、要求に応じて１又は複数の指定チャンネルの映像データを出力する映像蓄積部と、前記映像蓄積部から出力される１又は複数のチャンネルの映像データのフレームを転送パケットサイズの範囲でパッキングして伝送路に送出するパッキング処理部とを備えることを特徴とする。
【００１６】
（８）伝送路を通じて転送されるパケットを受け取り、パケット内の映像データをチャンネル毎に分解・マージして、チャンネル別映像データを再生するデパッキング処理部と、このデパッキング処理部で得られたチャンネル別映像データを同時に蓄積する映像蓄積部とを備えることを特徴とする。
【発明の効果】
【００１７】
以上のように構成することにより、複数チャンネルの映像データを同時に転送することができ、これによって転送効率及び複数チャンネルの高速転送を可能とする映像データ転送システム、映像データ転送方法及び映像蓄積装置を提供することができる。
【発明を実施するための最良の形態】
【００１８】
以下、図面を参照して本発明の実施形態を詳細に説明する。
【００１９】
図１は、本発明に係る映像データ転送システムの一実施形態を示すブロック図である。図１において、１１は送信側装置、２１は受信側装置を示しており、送信側装置１１は、複数チャンネルの映像データを蓄積し、要求に応じて１又は複数の指定チャンネル（図ではＣＨ１，ＣＨ２の２チャンネル）の映像データを出力する映像蓄積装置１１１と、映像蓄積装置１１１から出力される１又は複数のチャンネルの映像データのフレームを転送パケットサイズの範囲でパッキングし、そのパケット内容を示す転送パケット情報とともにパッキングされた各パケットを順次伝送路Ｌへ送出するパッキング装置１１２とを備える。転送パケット情報は、各パケットのヘッダ領域に格納される。
【００２０】
受信側装置２１は、伝送路Ｌを通じて転送されるパケットを受け取り、同時に送られてくる転送パケット情報に基づいてパケット内の映像データをチャンネル毎に分解・マージして、チャンネル別映像データを再生するデパッキング装置２１１と、このデパッキング装置２１１で得られたチャンネル別映像データを同時に蓄積する映像蓄積装置２１２とを備える。
【００２１】
上記構成において、図２を参照して本発明に係る映像データ転送システムの処理動作を説明する。
【００２２】
まず、従来の映像蓄積装置間の映像データ転送は、図２（ａ）に示すように、転送パケット毎に１チャンネル１フレーム分の映像データを転送している。また、前述の特許文献１に示される転送方式では、図２（ｂ）に示すように、同時転送可能チャンネル数は１チャンネルのみである。そのため、１フレームのデータサイズが小さい時に転送効率が低くなっている。そこで、本実施形態では、送信側装置１１のパッキング装置１１２において、図２（ｃ）に示すように、複数のチャンネルが選択された場合でも、各チャンネルのフレームを転送パケットサイズより小さく分解して各チャンネルの分解フレームを同一パケットにパッキングし、転送パケット情報を付加して転送を行う。受信側装置２１では、デパッキング装置２１１において、受信パケットから各チャンネルの分解フレームを取り出し、合わせて送られてくる転送パケット情報に基づいて同一チャンネルの分解フレームをマージし、これによって元のフレーム単位による複数チャンネルの映像データが得られる。
【００２３】
このように、本発明に係る転送システムでは、複数チャンネルでの転送を可能にするために、送信側で複数チャンネルの複数フレームをパッキングし、受信側でチャンネル分解し、チャンネル毎にフレーム単位に分解・マージを行う。送信側では、転送パケットサイズ以下でチャンネル毎に領域を割り当て、各領域に転送データをパッキングする。パッキングでは、転送パケットサイズを最大限に活用するために、転送データをフレーム単位で扱わない。そこで、送信時にパケット、チャンネル、各フレームデータサイズ等を転送パケット情報に付加し、受信側では転送パケット情報を用いてチャンネル分解処理、フレーム分解・マージ処理を行う。このように、転送パケット情報により、転送データの整合を保つことが可能である。
【００２４】
ここで、上記のように複数のチャンネルの映像データを同じパケットに収容する場合、その割合は任意であり、例えばハイビジョン（ＨＤ）映像チャンネルと標準テレビジョン（ＳＤ）映像チャンネルを同時に転送する場合、ＨＤ側を多くすれば効率的である。また、本線系と冗長系とを合わせて効率的に転送することも可能である。
【００２５】
したがって、上記構成による映像データ転送システムでは、映像蓄積装置１１１−２１２間の複数チャンネルの映像データ転送を効率的に行い、高速転送が可能になる。
【００２６】
なお、本発明は上記実施形態そのままに限定されるものではなく、実施段階ではその要旨を逸脱しない範囲で構成要素を変形して具体化できる。
【００２７】
例えば、上記実施形態では、映像蓄積装置とパッキング装置またはデパッキング装置とを独立した構成として説明したが、映像蓄積装置自体にパッキング装置、デパッキング装置の機能を備えるようにしてもよい。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２８】
【図１】本発明に係る映像データ転送システムの構成を示すブロック図。
【図２】上記実施形態のパッキング処理を従来方式と比較して示す概念図。
【符号の説明】
【００２９】
１１…送信側装置、１１１…映像蓄積装置、１１２…パッキング装置、２１…受信側装置、２１１…デパッキング装置、２１２…映像蓄積装置。
【図１】
2009225333.tif 000003
【図２】
2009225333.tif 000004